(57)【要約】      （修正有）【課題】コーナー貼りが採用され、良好な糊付けが達成された薄型収容箱を提供する。【解決手段】薄型収容箱は、矩形状の底面板紙１１と、底面板紙の後側辺に連なる後面板紙１４と、底面板紙の左側辺に連なる端面板紙１３と、後面板紙に連なり、端面板紙に対向するコーナー板紙１７Ｂと、端面板紙において底面板紙と反対側に連なる横フラップ２０とを含む。端面板紙および横フラップの端部には、斜め折り線Ｌ１４を介して折り重ね可能な折り重ね領域２２Ｂが設けられている。コーナー板紙は、後面板紙の側辺に連なり側辺と同じ幅を有する連接部１８Ｂと、連接部から上方に突出する突状部１９Ｂとを有している。突状部は、折り重ね領域と糊付けされ、連接部は、折り重ね領域と糊付けされない。【選択図】図８
0003228030.tif 000002
【実用新案登録請求の範囲】
【請求項１】
所定の形状の板ブランクを折り曲げて折り畳み状態に形成され、その折り畳み状態から手で箱状に組み立て可能な薄型収容箱であって、
矩形状の底面板と、
前記底面板の第１の側辺に連なる第１の側面板と、
前記底面板において前記第１の側辺に隣接する第２の側辺に連なる第２の側面板と、
前記第１の側面板に連なり、前記第２の側面板に対向するコーナー板と、
前記第２の側面板において前記底面板と反対側に連なる横フラップとを含み、
前記第２の側面板および前記横フラップの端部には、斜め折り線を介して折り重ね可能な折り重ね領域が設けられ、
前記コーナー板が、前記第１の側面板の側辺に連なり当該側辺と同じ幅を有する連接部と、当該連接部から上方に突出する突状部とを有し、
前記突状部が、折り重ねられた前記折り重ね領域と糊付けされている、薄型収容箱。
【請求項２】
前記連接部が、前記折り重ね領域と糊付けされない、請求項１に記載の薄型収容箱。
【考案の詳細な説明】
【技術分野】
【０００１】
この考案は、薄型収容箱に関する。
【背景技術】
【０００２】
従来から、所定の形状の板ブランクを折り曲げて折り畳み状態に形成され、折り畳み状態から手で箱状に組み立て可能な収容箱が知られている。このような収容箱として、下記特許文献１のように、底面の角部が糊貼りされたコーナー貼りが採用されたものが知られている。特許文献１の収納箱（装身具収納箱）では、底面の４つの角部にコーナー貼りが施されたいわゆる４コーナー貼りが採用されている。この収納箱では、折り畳み状態（特許文献１の図３〜図７に示す状態）から手で４つの側面板を引き起こす（起立させる）ことにより、４つの角部を形成することができ、これにより、容易に箱状に組み立てることができる。
【０００３】
一方、下記特許文献２には、薄型の梱包箱が開示されている。この梱包箱では、糊付けを行うことなく、左右のフラップをそれぞれ対応するフラップ係止部に係止することにより、梱包箱の形成および封止を実現している。
【先行技術文献】
【特許文献】
【０００４】
【特許文献１】実登３２１４４９３号公報
【特許文献２】特開２０１６−３７３０１号公報
【考案の概要】
【考案が解決しようとする課題】
【０００５】
特許文献２に記載の方式では、収容箱（梱包箱）を組み立てるのに手間を要する。組み立ての容易化のため、本願考案者は、コーナー貼りを採用して薄型の収容箱を実現することを検討している。
しかしながら、薄型の収容箱においてコーナー貼りを採用するとすれば、側面板の折り畳み片に糊付けされるコーナー板の高さ方向の幅が狭いために、コーナー板と、コーナー板の接合対象（側面板等）との糊付け面積を十分に確保できないおそれがある。この場合、良好な糊付けを達成できず、その結果、コーナー板と側面板等との接合を強固に保てないおそれがある。
【０００６】
そこで、この考案の一つの目的は、コーナー貼りが採用され、かつ良好な糊付けが達成された薄型収容箱を提供することである。
【課題を解決するための手段】
【０００７】
この考案は、所定の形状の板ブランクを折り曲げて折り畳み状態に形成され、その折り畳み状態から手で箱状に組み立て可能な薄型収容箱であって、矩形状の底面板と、前記底面板の第１の側辺に連なる第１の側面板と、前記底面板において前記第１の側辺に隣接する第２の側辺に連なる第２の側面板と、前記第１の側面板に連なり、前記第２の側面板に対向するコーナー板と、前記第２の側面板において前記底面板と反対側に連なる横フラップとを含み、前記第２の側面板および前記横フラップの端部には、斜め折り線を介して折り重ね可能な折り重ね領域が設けられ、前記コーナー板が、前記第１の側面板の側辺に連なり当該側辺と同じ幅を有する連接部と、当該連接部から上方に突出する突状部とを有し、前記突状部が、折り重ねられた前記折り重ね領域と糊付けされている、薄型収容箱を提供する。
【０００８】
この考案の一実施形態では、前記連接部が、前記折り重ね領域と糊付けされない。
【考案の効果】
【０００９】
この考案によれば、コーナー貼りが採用され、かつ良好な糊付けが達成された薄型収容箱を提供できる。
【図面の簡単な説明】
【００１０】
【図１】この考案の一実施形態に係る薄型収容箱（封緘状態）の斜視図である。
【図２】前記薄型収容箱の折り畳み状態を示す平面図である。
【図３】前記薄型収容箱の組み立て状態を示す斜視図である。
【図４】前記薄型収容箱の展開図である。
【図５】前側のコーナー板紙および折り重ね領域を説明するための拡大展開図である。
【図６】後側のコーナー板紙および折り重ね領域を説明するための拡大展開図である。
【図７】前記薄型収容箱の組み立てを説明するための平面図である。
【図８】図３の要部を示す拡大斜視図である。
【考案を実施するための形態】
【００１１】
以下には、図面を参照して、この考案の実施形態について具体的に説明をする。
図１は、この考案の一実施形態に係る薄型収容箱１の斜視図である。図２は、薄型収容箱１の折り畳み状態を示す平面図である。図３は、薄型収容箱１の組み立て状態を示す斜視図である。
薄型収容箱１は、書籍や書類等の厚み（図１に示す上下方向の幅）の薄い被収容物を収容するための箱である。薄型収容箱１は、たとえば、Ａ４サイズに対応する大きさを有しており、その厚みは、２５ミリメートル以内である。そのため、薄型収容箱１を、戸建て住宅や集合住宅のポストに投函可能である。
【００１２】
薄型収容箱１は、上部開口２ａ（図３参照）を有する有底箱状の本体部２と、本体部２の上部開口２ａを閉塞する蓋体３とを含む。本体部２の底部２ｂには、前側の２つの角部２ｃと、後側の２つの角部２ｄとが設けられている。薄型収容箱１は、後述する板紙ブランク（板ブランク）４（図４参照）を折り曲げ、かつ糊付けすることにより形成される。この明細書では、蓋体３の開く側を前方とし、蓋体３のヒンジ側を後方として説明する。また、蓋体３側を上方とし、本体部２の底部２ｂ側を下方として説明する。
【００１３】
薄型収容箱１は、たとえば、図２に示す折り畳み状態で、小売店舗や配送業者において販売される。そして、小売店舗や配送業者から購入した購入者が、折り畳み状態の薄型収容箱１を、図３に示す組み立て状態に組み立てる。購入者は、組み立て状態の薄型収容箱１に、書籍や書類等の厚みの薄い被収容物を上部開口２ａから収容し、その後、上部開口２ａを蓋体３によって閉塞する。そして、前フラップ２６を、前面１ｂ（前面板紙１２）の内側に挿し込み、かつ下フラップ２５を天面１ｆに糊付けすることにより、図１に示すように、薄型収容箱１の封緘状態が実現される。
【００１４】
図４は、薄型収容箱１の展開図（すなわち、薄型収容箱１として組み立てられる前の板紙ブランク４の平面図）である。図５は、前側のコーナー板紙１７Ａおよび折り重ね領域２２Ａを説明するための拡大展開図である。図６は、後側のコーナー板紙１７Ｂおよび折り重ね領域２２Ｂを説明するための拡大展開図である。
図４に示すように、板紙ブランク４は、平板状の紙板を所定の形状に打ち抜くと共に、所定位置に、谷折り線、山折り線等の折り線（罫線）を付すことにより形成される。図４に図示する面の大半が、組み立て後の薄型収容箱１において内面になり、反対側の面が外面になる。換言すると、組み立て後の薄型収容箱１における内面の全てが、図２に図示する面になる。板紙ブランク４は、左右対称である。図４〜図６においては、谷折り線を破線で示し、山折り線を一点鎖線で示す（図２および図７も同様である）。
【００１５】
図４に示すように、板紙ブランク４は、薄型収容箱１の底面１ａ（図３参照）を形成する矩形状（長方形状）の底面板紙（底面板）１１と、底面板紙１１を取り囲む４つの矩形状の側面板紙と、薄型収容箱１の天面１ｆ（図１参照）を形成する矩形状の天面板紙１５とを備えている。４つの矩形状の側面板紙は、前面板紙（第１の側面板）１２と、左右一対の端面板紙（第２の側面板）１３と、後面板紙（第１の側面板）１４とを含む。前面板紙１２、端面板紙１３および後面板紙１４は、ともに細長長方形状である。前面板紙１２、端面板紙１３および後面板紙１４における高さ方向（図４の上下方向）の幅は、略同一であり、たとえば２５ミリメートル以内に設定されている。底面板紙１１、前面板紙１２、端面板紙１３、後面板紙１４等が、薄型収容箱１の本体部２（図１参照）を構成し、天面板紙１５等が、薄型収容箱１の蓋体３（図１参照）を構成する。
【００１６】
図４に示すように、前面板紙１２は、薄型収容箱１の前面１ｂ（図１等参照）を形成する。前面板紙１２は、底面板紙１１の前側の長辺である前側辺（第１の側辺）１１ａに沿う折り線Ｌ１を介して連なっている。
一対の端面板紙１３は、それぞれ、薄型収容箱１の左面１ｃ（図３参照）および右面１ｄ（図１参照）を形成する。底面板紙１１の短辺である左側辺（第２の側辺）１１ｂおよび右側辺（第２の側辺）１１ｃには、当該側辺１１ｂ，１１ｃに沿う折り線Ｌ２が形成されている。一対の端面板紙１３は、折り線Ｌ２を介して底面板紙１１に連なっている。
【００１７】
後面板紙１４は、薄型収容箱１の後面１ｅ（図３参照）を形成する。後面板紙１４は、底面板紙１１の長辺である後側辺（第１の側辺）１１ｄに沿う折り線Ｌ４を介して連なっている。
天面板紙１５は、後面板紙１４の上辺１４ａに折り線Ｌ５を介して上方に連なっている。
【００１８】
図４に示すように、板紙ブランク４は、さらに、前面板紙１２の左方および右方の側辺１２ｂに、折り線Ｌ７を介してそれぞれ連なるコーナー板紙（コーナー板）１７Ａを備えている。板紙ブランク４は、後面板紙１４の左方および右方の側辺１４ｂに、折り線Ｌ８を介してそれぞれ連なるコーナー板紙（コーナー板）１７Ｂを備えている。これら合計４つのコーナー板紙１７Ａ、１７Ｂは、底面板紙１１の重心位置を中心として点対称をなしている。
【００１９】
図５に示すように、個々のコーナー板紙１７Ａは、略方形状に形成されている。個々のコーナー板紙１７Ａは、連接部１８Ａと、薄型収容箱１の組み立て状態において連接部１８Ａから上方（図５で下方）に突出する突状部１９Ａとを含む。連接部１８Ａは、折り線Ｌ７に連なり、折り線Ｌ７と直交する方向に折り線Ｌ７と同じ幅で延びる矩形状である。突状部１９Ａは、連接部１８Ａに折り線Ｌ９を介して連なっている。突状部１９Ａは、個々のコーナー板紙１７Ａにおいて、前面板紙１２の上辺１２ａよりも、端面板紙１３と反対側に突出した領域である。つまり、コーナー板紙１７Ａの折り線Ｌ７に沿う方向における最大長さは、前面板紙１２の側辺１２ｂの長さ（すなわち、前面板紙１２の高さ方向（図４の上下方向）の幅（２５ミリメートル以内））よりも長くされている。突状部１９Ａには、糊が配置される。すなわち、突状部１９Ａに糊配置部３０が形成される。一方、連接部１８Ａには、糊が配置されていない。すなわち、連接部１８Ａには糊配置部が設けられていない。
【００２０】
図６に示すように、個々のコーナー板紙１７Ｂは、略方形状に形成されている。個々のコーナー板紙１７Ｂは、連接部１８Ｂと、薄型収容箱１の組み立て状態において連接部１８Ｂから上方（図６でも上方）に突出する突状部１９Ｂとを含む。連接部１８Ｂは、折り線Ｌ８に連なり、折り線Ｌ８と直交する方向に折り線Ｌ８と同じ幅で延びる矩形状である。突状部１９Ｂは、連接部１８Ｂに折り線Ｌ１０を介して連なっている。突状部１９Ｂは、個々のコーナー板紙１７Ｂにおいて、後面板紙１４の上辺１４ａよりも、端面板紙１３と反対側に突出した領域である。つまり、コーナー板紙１７Ｂの折り線Ｌ８に沿う方向における最大長さは、後面板紙１４の側辺１４ｂの長さ（すなわち、後面板紙１４の高さ方向の幅（２５ミリメートル以内））よりも長くされている。突状部１９Ｂには、糊が配置される。すなわち、突状部１９Ｂに糊配置部３０が形成される。一方、連接部１８Ｂには、糊が配置されていない。すなわち、連接部１８Ｂには糊配置部が設けられていない。
【００２１】
図４に示すように、個々の端面板紙１３において、底面板紙１１と反対側の側辺１３ａには、折り線Ｌ１１を介して横フラップ２０が連なっている。個々の端面板紙１３と、それに対応する横フラップ２０とによって、側面部２１が構成される。個々の側面部２１の折り線Ｌ１１に沿う方向の両端部には、略三角形状の折り重ね領域２２Ａ、２２Ｂが形成されている。折り重ね領域２２Ａ、２２Ｂは、側面部２１における折り重ね領域２２Ａ、２２Ｂ以外の領域に対し、外側（図４の背面側）に折り重ねられる。
【００２２】
図４および図５に示すように、前面板紙１２側の折り重ね領域２２Ａは、斜め折り線Ｌ１３を介して、側面部２１における折り重ね領域２２Ａ以外の領域と連なっている。斜め折り線Ｌ１３は、側辺１１ｂ，１１ｃと側辺１３ｂとの交点Ｐ１を起点として、側辺１１ｂ，１１ｃ（折り線Ｌ１１）と側辺１３ｂとがなす角度（約９０°）を二等分するように横フラップ２０の先端縁まで延びている。
【００２３】
図５に示すように、個々の折り重ね領域２２Ａは、端面板紙１３に設けられる三角形状の第１の部分２３Ａと、横フラップ２０に設けられる直角台形状の第２の部分２４Ａとを含む。折り重ね領域２２Ａの第２の部分２４Ａが、コーナー板紙１７Ａの突状部１９Ａと糊によって接合されている。すなわち、第２の部分２４Ａに、突状部１９Ａの糊配置部３０に対応する糊配置部４０が形成される。一方、第１の部分２３Ａには、糊が配置されていない。すなわち、第１の部分２３Ａには糊配置部が設けられていない。個々の折り重ね領域２２Ａと、対応するコーナー板紙１７Ａとの接合により、前側の角部２ｃ（図１等参照）が形成される。
【００２４】
図４および図６に示すように、後面板紙１４側の折り重ね領域２２Ｂは、斜め折り線Ｌ１４を介して、側面部２１における折り重ね領域２２Ｂ以外の領域と連なっている。斜め折り線Ｌ１４は、側辺１１ｂ，１１ｃと側辺１３ｂとの交点Ｐ２を起点として、側辺１１ｂ，１１ｃ（折り線Ｌ１１）と側辺１３ｂとがなす角度（約９０°）を二等分するように横フラップ２０の先端縁まで延びている。
【００２５】
図６に示すように、個々の折り重ね領域２２Ｂは、端面板紙１３に設けられる三角形状の第１の部分２３Ｂと、横フラップ２０に設けられる直角台形状の第２の部分２４Ｂとを含む。折り重ね領域２２Ｂの第２の部分２４Ｂが、コーナー板紙１７Ｂの突状部１９Ｂと糊によって接合されている。すなわち、第２の部分２４Ｂに、突状部１９Ｂの糊配置部３０に対応する糊配置部４０が形成される。一方、第１の部分２３Ｂには、糊が配置されていない。すなわち、第１の部分２３Ｂには糊配置部が設けられていない。個々の折り重ね領域２２Ｂと、対応するコーナー板紙１７Ｂとの接合により、後側の角部２ｄ（図１等参照）が形成される。
【００２６】
図４に示すように、板紙ブランク４は、さらに、前面板紙１２の上辺１２ａの左右部分にそれぞれ連なった一対の封緘糊付け用の下フラップ２５と、天面板紙１５の前側辺１５ａに連なった前フラップ２６と、天面板紙１５の左右の側辺１５ｂに連なった補強板紙２７とを含む。
板紙ブランク４を構成する板紙は、段ボール原紙である。この実施形態では、前フラップ２６と前面板紙１２との弾性係合や、薄型収容箱１としての強度の兼ね合いから、板紙として、坪量が２７０ｇ／ｍ２以上４００ｇ／ｍ２以下の段ボール原紙が採用されることが好ましい。坪量は一例であり、この範囲を超える坪量であってもよい。
【００２７】
図７は、薄型収容箱１の組み立てを説明するための平面図である。図２〜図７を参照しながら、板紙ブランク４から組み立て状態の薄型収容箱１に至るまでの工程を説明する。これらの工程は、製函機を用いて実行される。
図４に示す板紙ブランク４の展開状態から、左右の補強板紙２７を内側に折り畳む。左右の補強板紙２７は、天面板紙１５に糊付けにより接合される。これにより、蓋体３の天面が二重構造になり、天面板紙１５が補強される。
【００２８】
また、図４に示す板紙ブランク４の展開状態から、左右一対の側面部２１（端面板紙１３および横フラップ２０）を内側に折り畳む。そして、かつ２つの三角形状の折り重ね領域２２Ａ、および２つの三角形状の折り重ね領域２２Ｂを外側に折り返す。
また、一対のコーナー板紙１７Ａおよび一対のコーナー板紙１７Ｂを、それぞれ、前面板紙１２側および後面板紙１４に向けて内側に折り畳む。この状態で、前面板紙１２および後面板紙１４を底面板紙１１に向けて内側に折り畳む。これにより、コーナー板紙１７Ａが対応する折り重ね領域２２Ａに対向し、かつコーナー板紙１７Ｂが対応する折り重ね領域２２Ｂに対向する。具体的には、コーナー板紙１７Ａの突状部１９Ａが、折り重ね領域２２Ａの直角台形状の第２の部分２４Ａに対向し、コーナー板紙１７Ａの連接部１８Ａ、折り重ね領域２２Ａの三角形状の第１の部分２３Ａに対向する。また、コーナー板紙１７Ｂの突状部１９Ｂが、折り重ね領域２２Ｂの直角台形状の第２の部分２４Ｂに対向し、コーナー板紙１７Ｂの連接部１８Ｂが、折り重ね領域２２Ｂの三角形状の第１の部分２３Ｂに対向する。
【００２９】
そして、この状態で、突状部１９Ａ（糊配置部３０）が第２の部分２４Ａ（糊配置部４０）に糊付けされる。これにより、コーナー板紙１７Ａが、対応する折り重ね領域２２Ａに貼り付けられる（コーナー貼り）。また、突状部１９Ｂ（糊配置部３０）が第２の部分２４Ｂ（糊配置部４０）に糊付けされる。これにより、コーナー板紙１７Ｂが、対応する折り重ね領域２２Ｂに貼り付けられる（コーナー貼り）。このとき、連接部１８Ａ、１８Ｂは、第１の部分２３Ａ、２３Ｂに糊付けされない。この状態の平面形状を図７に示す。図７では、理解の容易化のため、天面板紙１５を後面板紙１４に対し、折り線Ｌ５に沿って外側に向けて折り畳んだ状態を示している。
【００３０】
そして、図７に示す状態から、天面板紙１５を、後面板紙１４に対し、折り線Ｌ５に沿って内側に向けて（底面板紙１１に向けて）折り畳むことにより、図３に示す薄型収容箱１の組み立て状態が実現する。そして、その状態で、薄型収容箱１が出荷され、小売店舗や配送業者に納品される。
図８は、図３の要部を示す拡大斜視図である。
【００３１】
小売店舗や配送業者から購入した購入者は、図２に示す状態から、天面板紙１５を折り線Ｌ５に沿って外側に向けて折り返し、この状態で、左右一対の側面部２１（端面板紙１３および横フラップ２０）を外側に向けて引き起こす。これにより、左右一対の側面部２１、前面板紙１２および後面板紙１４が立ち上がる。これにより、図３や図８に示すように、前側の２つの角部２ｃおよび後側の２つの角部２ｄが形成される。
【００３２】
以上によりこの実施形態によれば、側面部２１（端面板紙１３および横フラップ２０）の端部には、斜め折り線Ｌ１３、Ｌ１４を介して折り重ね可能な折り重ね領域２２Ａ、２２Ｂが設けられている。また、前面板紙１２または後面板紙１４から連なるコーナー板紙１７Ａ、１７Ｂが、連接部１８Ａ、１８Ｂと、連接部１８Ａ、１８Ｂから上方に突出する突状部１９Ａ、１９Ｂとを有している。そして、突状部１９Ａ、１９Ｂが、折り重ねられた折り重ね領域２２Ａ、２２Ｂと糊付けされている。
【００３３】
仮に、コーナー板紙１７Ａ、１７Ｂにおいて突状部１９Ａ、１９Ｂを設けないとすれば、連接部１８Ａ、１８Ｂと、折り重ね領域２２Ａ、２２Ｂとの糊付けにより、コーナー板紙１７Ａ、１７Ｂと折り重ね領域２２Ａ、２２Ｂとを接合させる必要がある。連接部１８Ａ、１８Ｂの高さ方向の幅が狭いため、コーナー板紙１７Ａ、１７Ｂと折り重ね領域２２Ａ、２２Ｂとの糊付け面積を十分に確保できないおそれがある。この場合、良好な糊付けを達成できない結果、コーナー板紙１７Ａ、１７Ｂと端面板紙１３との接合を強固に保てないおそれがある。
【００３４】
これに対し、この実施形態では、連接部１８Ａ、１８Ｂから上方に突出する突状部１９Ａ、１９Ｂと折り重ね領域２２Ａ、２２Ｂとを糊付けする。これにより、コーナー板紙１７Ａ、１７Ｂと折り重ね領域２２Ａ、２２Ｂとを良好に貼り合わせることができる。ゆえに、コーナー板紙１７Ａ、１７Ｂと折り重ね領域２２Ａ、２２Ｂとの接合を強固に達成できる。
【００３５】
また、連接部１８Ａ、１８Ｂを折り重ね領域２２Ａ、２２Ｂと糊付けしなくても、コーナー板紙１７Ａ、１７Ｂと折り重ね領域２２Ａ、２２Ｂとの強固な接合を実現できるので、連接部１８Ａ、１８Ｂを、折り重ね領域２２Ａ、２２Ｂと糊付けしていない。これにより、糊の使用量の低減を図ることができる。
以上、この考案の一実施形態について説明したが、この考案は他の形態で実施することもできる。
【００３６】
たとえば、蓋体３が、後面板紙１４ではなく、前面板紙１２に連なっていてもよい。
また、底面板紙１１、前面板紙１２、左右一対の端面板紙１３、後面板紙１４等を構成する板ブランク（板紙ブランク４）板を、段ボール原紙を用いて形成するとして説明したが、段ボール原紙に限られず、紙板として、紙器用板紙、雑板紙等が用いられてもよい。紙器用板紙の一例は、コート紙である。また、この板ブランクが、樹脂板（より具体的には、たとえば塩ビ、ポリエチレン（ＰＥ）、ポリプロピレン（ＰＰ）、ポリエチレンテフタレート（ＰＥＴ）等を用いて形成された透明樹脂板）等の板紙以外の板を用いて形成されていてもよい。
【００３７】
また、薄型収容箱１は、書籍、書類以外の厚みの薄い被収容物を収容するものであってもよい。また、薄型収容箱１は、たとえば、Ａ４サイズを超える大きさを有してもよいし、その厚みが２５ミリメートルを超えてもよい。
その他、実用新案登録請求の範囲に記載された事項の範囲で種々の設計変更を施すことが可能で
ある。
【符号の説明】
【００３８】
１      ：薄型収容箱
４      ：板紙ブランク（板ブランク）
１１    ：底面板紙（底面板）
１１ａ  ：前側辺（第１の側辺）
１１ｂ  ：左側辺（第２の側辺）
１１ｃ  ：右側辺（第２の側辺）
１１ｄ  ：後側辺（第１の側辺）
１２    ：前面板紙（第１の側面板）
１２ｂ  ：側辺
１３    ：端面板紙（第２の側面板）
１４    ：後面板紙（第１の側面板）
１４ｂ  ：側辺
１７Ａ  ：コーナー板紙（コーナー板）
１７Ｂ  ：コーナー板紙（コーナー板）
１８Ａ  ：連接部
１８Ｂ  ：連接部
１９Ａ  ：突状部
１９Ｂ  ：突状部
２０    ：横フラップ
２２Ａ  ：折り重ね領域
２２Ｂ  ：折り重ね領域
Ｌ１３  ：斜め折り線
Ｌ１４  ：斜め折り線
【図１】
0003228030.tif 000003
【図２】
0003228030.tif 000004
【図３】
0003228030.tif 000005
【図４】
0003228030.tif 000006
【図５】
0003228030.tif 000007
【図６】
0003228030.tif 000008
【図７】
0003228030.tif 000009
【図８】
0003228030.tif 000010